(57)【要約】【課題】  ブリーディングを改善し、定着性と発色性のどちらも犠牲にすることなく、被記録媒体におけるインクの裏抜けの課題も改善した記録方法の提供。【解決手段】  顔料インクと反応液とを記録媒体に吐出して記録する方法であって、記録媒体上面に吐出した反応液に該液の表面張力よりも低い表面張力のインクを吐出する工程と、反応液と顔料インクとが接触した界面で凝集物が集合してなる膜状の凝集体を形成する工程を有し、反応液の吐出体積をVd、相対走査方向の記録解像度をRx、ノズル配列方向の記録解像度をRy、反応液の記録デュ−ティーをdutyとした場合、反応液の吐出条件が下記式を満たす記録方法。2004249725.tif 000023【選択図】  なし【特許請求の範囲】
【請求項１】
顔料インク及び多価金属塩を含む反応液を吐出するための複数のノズルが配列された記録部を被記録媒体に対し相対的に走査させながら、前記記録部から顔料インク及び反応液を前記被記録媒体に対して吐出して記録を行うインクジェット記録方法であって、
前記被記録媒体の上面に吐出された反応液に対し、前記反応液の表面張力よりも低い表面張力を有する前記顔料インクを吐出する工程と、
前記反応液と前記顔料インクとが接触した界面にて、凝集物が集合してなる膜状の凝集体を形成する工程とを有し、
前記反応液の１ドットあたりの吐出体積をＶｄ(ｐｌ)、前記相対走査の方向の記録解像度をＲｘ(ｄｐｉ)、前記ノズルの配列方向の記録解像度をＲｙ(ｄｐｉ)、前記反応液の記録デュ−ティーをｄｕｔｙ(％）とした場合、前記吐出工程における反応液の吐出条件が、
2004249725.tif 000015
なる関係を満たすことを特徴とするインクジェット記録方法。
【請求項２】
顔料インク及び多価金属塩を含む反応液を吐出するための複数のノズルが配列された記録部を被記録媒体に対し相対的に走査させながら、前記記録部から顔料インク及び反応液を前記被記録媒体に対して吐出して記録を行うインクジェット記録方法であって、
前記被記録媒体の上面に吐出された反応液に対し、前記反応液の表面張力よりも低い表面張力を有する前記顔料インクを吐出する工程と、
前記反応液と前記顔料インクとが接触した界面にて、凝集物が集合してなる膜状の凝集体を形成する工程とを有し、
少なくとも、前記被記録媒体の所定領域におけるインクの記録デューティーが１００％の場合、前記所定領域に対する反応液の吐出条件が、
2004249725.tif 000016
（但し、
Ｖｄ(ｐｌ)：反応液の１ドットあたりの吐出体積
Ｒｘ(ｄｐｉ)：相対走査の方向の記録解像度
Ｒｙ(ｄｐｉ)：ノズルの配列方向の記録解像度
ｄｕｔｙ(％)：反応液の記録デュ−ティー）
なる関係を満たすことを特徴とするインクジェット記録方法。
【請求項３】
顔料インクと、当該顔料インクよりも高い表面張力を有し且つ当該顔料インクを凝集させる多価金属塩を含む反応液とを吐出するための複数のノズルが配列された記録部を被記録媒体に対し相対的に走査させながら、前記記録部から顔料インク及び反応液を前記被記録媒体に対して吐出して被記録媒体に記録を行う記録方法であって、
前記反応液を前記被記録媒体に吐出する工程と、
前記被記録媒体の上面にて液状で存在している反応液に前記顔料インクを接触させるよう、前記顔料インクを前記被記録媒体に吐出する工程とを有し、
前記反応液の１ドットあたりの吐出体積をＶｄ(ｐｌ)、前記相対走査の方向の記録解像度をＲｘ(ｄｐｉ)、前記ノズルの配列方向の記録解像度をＲｙ(ｄｐｉ)、前記反応液の記録デュ−ティーをｄｕｔｙ(％）とした場合、前記吐出工程における反応液の吐出条件が、
2004249725.tif 000017
なる関係を満たすことを特徴とする記録方法。
【請求項４】
顔料インクと、当該顔料インクよりも高い表面張力を有し且つ当該顔料インクを凝集させる多価金属塩を含む反応液とを吐出するための複数のノズルが配列された記録部を被記録媒体に対し相対的に走査させながら、前記記録部から顔料インク及び反応液を前記被記録媒体に対して吐出して被記録媒体に記録を行う記録方法であって、
前記反応液を前記被記録媒体に吐出する工程と、
前記被記録媒体の上面にて液状で存在している反応液に前記顔料インクを接触させるよう、前記顔料インクを前記被記録媒体に吐出する工程とを有し、
少なくとも、前記被記録媒体の所定領域におけるインクの記録デューティーが１００％のときには、前記所定領域に対する反応液の吐出条件が、
2004249725.tif 000018
（但し、
Ｖｄ(ｐｌ)：反応液の１ドットあたりの吐出体積
Ｒｘ(ｄｐｉ)：相対走査の方向の記録解像度
Ｒｙ(ｄｐｉ)：ノズルの配列方向の記録解像度
ｄｕｔｙ(％)：反応液の記録デュ−ティー）
なる関係を満たすことを特徴とする記録方法。
【請求項５】
多価金属塩及び界面活性剤を含む反応液と、当該反応液の界面活性剤の含有率よりも高い含有率で界面活性剤を含む顔料インクとを吐出するための複数のノズルが配列された記録部を被記録媒体に対し相対的に走査させながら、前記記録部より被記録媒体に対し反応液を吐出してから顔料インクを吐出して記録を行う記録方法であって、
前記被記録媒体の上面にて存在している反応液の界面に前記顔料インクを接触させる工程と、
前記反応液と前記顔料インクとが接触した界面にて、凝集物が集合してなる膜状の凝集体を形成させる工程とを有し、
前記反応液の１ドットあたりの吐出体積をＶｄ(ｐｌ)、前記相対走査の方向の記録解像度をＲｘ(ｄｐｉ)、前記ノズルの配列方向の記録解像度をＲｙ(ｄｐｉ)、前記反応液の記録デュ−ティーをｄｕｔｙ(％）とした場合、前記反応液の吐出条件が、
2004249725.tif 000019
なる関係を満たすことを特徴とする記録方法。
【請求項６】
多価金属塩及び界面活性剤を含む反応液と、当該反応液の界面活性剤の含有率よりも高い含有率で界面活性剤を含む顔料インクとを吐出するための複数のノズルが配列された記録部を被記録媒体に対し相対的に走査させながら、前記記録部より被記録媒体に対し反応液を吐出してから顔料インクを吐出して記録を行う記録方法であって、
前記被記録媒体の上面にて存在している反応液の界面に前記顔料インクを接触させる工程と、
前記反応液と前記顔料インクとが接触した界面にて、凝集物が集合してなる膜状の凝集体を形成させる工程とを有し、
少なくとも、前記被記録媒体の所定領域におけるインクの記録デューティーが１００％のときには、前記所定領域に対する反応液の吐出条件が、
2004249725.tif 000020
（但し、
Ｖｄ(ｐｌ)：反応液の１ドットあたりの吐出体積
Ｒｘ(ｄｐｉ)：相対走査の方向の記録解像度
Ｒｙ(ｄｐｉ)：ノズルの配列方向の記録解像度
ｄｕｔｙ(％)：反応液の記録デュ−ティー）
なる関係を満たすことを特徴とする記録方法。
【請求項７】
多価金属塩を含む反応液と、当該反応液の表面張力よりも低い表面張力を有する顔料インクとを吐出するための複数のノズルが配列された記録部を被記録媒体に対し相対的に走査させながら、前記記録部から被記録媒体に反応液、顔料インクの順で吐出して記録を行う記録方法であって、
前記被記録媒体の上面で前記反応液と前記顔料インクを接触させる工程と、
前記反応液と前記顔料インクが接触した界面で、凝集物が集合してなる膜状の凝集体を形成させる工程と、
前記被記録媒体に対する前記反応液の浸透性を促進させる工程とを有し、
前記反応液の１ドットあたりの吐出体積をＶｄ(ｐｌ)、前記相対走査の方向の記録解像度をＲｘ(ｄｐｉ)、前記ノズルの配列方向の記録解像度をＲｙ(ｄｐｉ)、前記反応液の記録デュ−ティーをｄｕｔｙ(％)とした場合、前記反応液の吐出条件が、
2004249725.tif 000021
なる関係を満たすことを特徴とする記録方法。
【請求項８】
多価金属塩を含む反応液と、当該反応液の表面張力よりも低い表面張力を有する顔料インクとを吐出するための複数のノズルが配列された記録部を被記録媒体に対し相対的に走査させながら、前記記録部から被記録媒体に反応液、顔料インクの順で吐出して記録を行う記録方法であって、
前記被記録媒体の上面で前記反応液と前記顔料インクを接触させる工程と、
前記反応液と前記顔料インクが接触した界面で、凝集物が集合してなる膜状の凝集体を形成させる工程と、
前記被記録媒体に対する前記反応液の浸透性を促進させる工程とを有し、
少なくとも、前記被記録媒体の所定領域におけるインクの記録デューティーが１００％のときには、前記所定領域に対する反応液の吐出条件が、
2004249725.tif 000022
（但し、
Ｖｄ(ｐｌ)：反応液の１ドットあたりの吐出体積
Ｒｘ(ｄｐｉ)：相対走査の方向の記録解像度
Ｒｙ(ｄｐｉ)：ノズルの配列方向の記録解像度
ｄｕｔｙ(％)：反応液の記録デュ−ティー）
なる関係を満たすことを特徴とする記録方法。
【発明の詳細な説明】
【技術分野】
【０００１】
本発明は、インクジェット記録方法に関し、とりわけ普通紙に対して定着性が高く、高画質なカラー画像が得られるインクジェット記録方法に関する。
【背景技術】
【０００２】
インクジェット記録方法は、インクの小滴を飛翔させ、紙等の被記録媒体に付着させて記録を行うものである。吐出エネルギー供給手段として電気熱変換体を用い熱エネルギーをインクに与えて気泡を発生させることにより液滴を吐出させる方法（例えば、特許文献１、特許文献２、特許文献３参照）によれば、記録ヘッドの高密度マルチオリフィス化が容易に実現でき、高解像度、高品質の画像を高速で記録できる。
【０００３】
しかしながら、従来のインクジェット記録に用いられるインクは、一般に水を主成分とし、これに乾燥防止、目詰まり防止等の目的でグリコール等の水溶性高沸点溶剤を含有したものが一般的であるが、このようなインクを用いて普通紙に記録を行った場合に、十分な定着性が得られなかったり、記録紙表面の填料やサイズ剤の不均一な分布によると推定される不均一画像が発生することがあった。特に、カラー画像を得ようとした場合には、複数の色のインクが紙に定着する以前に次々と重ねられることから、異色の画像の境界部分では色が滲んだり、不均一に混ざり合ったりして（以下、この現象をブリーディングと呼ぶことにする）満足すべき画像が得られなかった。
【０００４】
これに対して、ブリーディングを改善する手段として、インク中に界面活性剤等の浸透性を高める化合物を添加することが開示されている（例えば、特許文献４参照）。しかし、この方法ではインクの記録紙への浸透性が高まる結果、ブリーディングについてはある程度抑制できるものの、インクの着色剤が記録紙の奥深くまで浸透してしまうために、画像濃度が低下したり、画像の鮮明性が低下したり、被記録媒体の裏面に画像が裏抜けて見える等の不都合があった。又、記録紙表面に対する濡れ性が向上するため、インクが広がり易く、解像性の低下をきたしたり、滲みが発生したり、好ましくないものであった。
【０００５】
更に、上述した問題点を改善するために、記録インクの噴射に先立って被記録媒体上に、画像を良好にせしめる液体を付着させる種々の方法が提案されている。例えば、被記録媒体上に予め、カルボキシメチルセルロース、ポリビニルアルコール、ポリ酢酸ビニル等のポリマーの溶液を噴射してから、印字する方法が提案されているが（例えば、特許文献５参照）、ブリーディングは改善されるものの、溶液自体の乾燥性が悪く、定着性が低くなるという問題が懸念される。そして、これを改善するために、例えば、１分子当り２個以上のカチオン性基を有する有機化合物を含有する液体を付着させた後、アニオン染料を含有したインクを記録する方法（例えば、特許文献６参照）や、コハク酸等含有した酸性液体を付着させた後、インクを記録する方法（例えば、特許文献７参照）、更に、染料を不溶化する液体を記録前に付着させる方法（例えば、特許文献８参照）、が開示されている。
【０００６】
しかしながら、上記いずれの方法もブリーディングはある程度抑えられるものの、上記いずれの方法においても、被記録媒体内に反応液が浸透して、被記録媒体中に存在し、且つ媒体表面から反応液がなくなった後の段階で着色インクを付与しており、ほとんどの反応は被記録媒体中で起こるために、得られる画像の発色性が向上しないという問題と、被記録媒体の裏面で着色剤が視認される裏抜けの問題があった。以上のように、反応液が被記録媒体上にあるときに着色インクと反応させると画像の定着性が悪くなる一方、上記した方法のように、反応液が被記録媒体中にあるときに着色インクと反応させると発色性が悪くなる、といった問題の発生が懸念される。
【０００７】
又、多価金属イオンとカルボキシル基の反応を利用してブリーディングを防止することの提案がなされているが（例えば、特許文献９参照）、この場合においても、多価金属イオンを含有した液体を被記録媒体に含浸させてから着色インクと反応させているために、ブリーディングはある程度抑えられるものの、着色インクが被記録媒体に対して浸透性が高いものである場合は、発色性の低下及び裏抜けの問題が懸念され、逆に、浸透性が低いものである場合は、定着に時間がかかるという問題が懸念される。更に又、顔料と樹脂エマルジョンと多価金属塩による反応によってブリーディングを改善する方法の提案もあるが（例えば、特許文献１０参照）、基本的な概念は、上記特許文献９とほぼ同じである。
【０００８】
更に、反応液の付与量を、着色インクの付与量の重量比で規定することによって最適化された画質が得られるインクジェット記録方法の提案がある（例えば、特許文献１１参照）。ここでは、実質、反応液と着色インクの表面張力により条件は変えているものの、反応液の１ドットが着色インクの１ドットよりも小さくなるようにすることを提案している。しかし、この方法では、２次色、３次色になるに従って反応液の付与量も増加させなければならないため、結果として、２次色及び３次色の印字領域は、大量の溶媒が存在することになり定着に時間がかかることになる。
【０００９】
【特許文献１】特公昭６１−５９９１１号公報
【特許文献２】特公昭６１−５９９１２号公報
【特許文献３】特公昭６１−５９９１４号公報
【特許文献４】特開昭５５−６５２６９号公報
【特許文献５】特開昭５６−８９５９５号公報
【特許文献６】特開昭６３−２９９７１号公報
【特許文献７】特開昭６４−９２７９号公報
【特許文献８】特開昭６４−６３１８５号公報
【特許文献９】特開平５−２０２３２８号公報
【特許文献１０】特開平９−２０７４２４号公報
【特許文献１１】国際公開第９８／３０３９８号パンフレット
【発明の開示】
【発明が解決しようとする課題】
【００１０】
以上、述べてきたように、ブリーディングを改善する手段の一つとして、着色インクと反応液を用いた提案は種々されているが、いずれの場合においてもブリーディングはある程度は改善されるものの、定着性を重視した場合は発色性や裏抜けが低下し、発色性や裏抜けを重視した場合は定着性が低下してしまう。つまり、ブリーディングを軽減するとともに、定着性と発色性・裏抜けを同時に満足できる方法が提案されていないのが現状である。又、反応液の付与量を規定する提案は、着色インクの付与量との比をとる提案になっており、記録方法・条件によっては必ずしも最適な提案とは言い切れない。
【００１１】
本発明は、この点を鑑みてなされたものであり、その目的は、インクジェット記録方法で普通紙等の被記録媒体に印字を行う際の大きな課題であるブリーディングを改善しつつ、定着性と発色性のどちらも犠牲にすることなく、又、被記録媒体における着色インクの裏抜けの課題も改善したインクジェット記録方法を提供することである。
【課題を解決するための手段】
【００１２】
上記の目的は、下記の本発明によって達成される。即ち、本発明の一実施態様は、［１］顔料インク及び多価金属塩を含む反応液を吐出するための複数のノズルが配列された記録部を被記録媒体に対し相対的に走査させながら、前記記録部から顔料インク及び反応液を前記被記録媒体に対して吐出して記録を行うインクジェット記録方法であって、前記被記録媒体の上面に吐出された反応液に対し、前記反応液の表面張力よりも低い表面張力を有する前記顔料インクを吐出する工程と、前記反応液と前記顔料インクとが接触した界面にて、凝集物が集合してなる膜状の凝集体を形成する工程とを有し、前記反応液の１ドットあたりの吐出体積をＶｄ(ｐｌ)、前記相対走査の方向の記録解像度をＲｘ(ｄｐｉ)、前記ノズルの配列方向の記録解像度をＲｙ(ｄｐｉ)、前記反応液の記録デュ−ティーをｄｕｔｙ(％）とした場合、前記吐出工程における反応液の吐出条件が、
2004249725.tif 000002
なる関係を満たすことを特徴とするインクジェット記録方法である。
【００１３】
本発明の別の実施態様は、［２］顔料インク及び多価金属塩を含む反応液を吐出するための複数のノズルが配列された記録部を被記録媒体に対し相対的に走査させながら、前記記録部から顔料インク及び反応液を前記被記録媒体に対して吐出して記録を行うインクジェット記録方法であって、前記被記録媒体の上面に吐出された反応液に対し、前記反応液の表面張力よりも低い表面張力を有する前記顔料インクを吐出する工程と、前記反応液と前記顔料インクとが接触した界面にて、凝集物が集合してなる膜状の凝集体を形成する工程とを有し、少なくとも、前記被記録媒体の所定領域におけるインクの記録デューティーが１００％の場合、前記所定領域に対する反応液の吐出条件が、
2004249725.tif 000003
（但し、Ｖｄ(ｐｌ)：反応液の１ドットあたりの吐出体積、Ｒｘ(ｄｐｉ)：相対走査の方向の記録解像度、Ｒｙ(ｄｐｉ)：ノズルの配列方向の記録解像度、ｄｕｔｙ(％)：反応液の記録デュ−ティー）なる関係を満たすことを特徴とするインクジェット記録方法である。
【００１４】
本発明の別の実施態様は、［３］顔料インクと、当該顔料インクよりも高い表面張力を有し且つ当該顔料インクを凝集させる多価金属塩を含む反応液とを吐出するための複数のノズルが配列された記録部を被記録媒体に対し相対的に走査させながら、前記記録部から顔料インク及び反応液を前記被記録媒体に対して吐出して被記録媒体に記録を行う記録方法であって、前記反応液を前記被記録媒体に吐出する工程と、前記被記録媒体の上面にて液状で存在している反応液に前記顔料インクを接触させるよう、前記顔料インクを前記被記録媒体に吐出する工程とを有し、前記反応液の１ドットあたりの吐出体積をＶｄ(ｐｌ)、前記相対走査の方向の記録解像度をＲｘ(ｄｐｉ)、前記ノズルの配列方向の記録解像度をＲｙ(ｄｐｉ)、前記反応液の記録デュ−ティーをｄｕｔｙ(％）とした場合、前記吐出工程における反応液の吐出条件が、
2004249725.tif 000004
なる関係を満たすことを特徴とする記録方法である。
【００１５】
本発明の別の実施態様は、［４］顔料インクと、当該顔料インクよりも高い表面張力を有し且つ当該顔料インクを凝集させる多価金属塩を含む反応液とを吐出するための複数のノズルが配列された記録部を被記録媒体に対し相対的に走査させながら、前記記録部から顔料インク及び反応液を前記被記録媒体に対して吐出して被記録媒体に記録を行う記録方法であって、前記反応液を前記被記録媒体に吐出する工程と、前記被記録媒体の上面にて液状で存在している反応液に前記顔料インクを接触させるよう、前記顔料インクを前記被記録媒体に吐出する工程とを有し、少なくとも、前記被記録媒体の所定領域におけるインクの記録デューティーが１００％のときには、前記所定領域に対する反応液の吐出条件が、
2004249725.tif 000005
（但し、Ｖｄ(ｐｌ)：反応液の１ドットあたりの吐出体積、Ｒｘ(ｄｐｉ)：相対走査の方向の記録解像度、Ｒｙ(ｄｐｉ)：ノズルの配列方向の記録解像度、ｄｕｔｙ(％)：反応液の記録デュ−ティー）なる関係を満たすことを特徴とする記録方法である。
【００１６】
本発明の別の実施態様は、［５］多価金属塩及び界面活性剤を含む反応液と、当該反応液の界面活性剤の含有率よりも高い含有率で界面活性剤を含む顔料インクとを吐出するための複数のノズルが配列された記録部を被記録媒体に対し相対的に走査させながら、前記記録部より被記録媒体に対し反応液を吐出してから顔料インクを吐出して記録を行う記録方法であって、前記被記録媒体の上面にて存在している反応液の界面に前記顔料インクを接触させる工程と、前記反応液と前記顔料インクとが接触した界面にて、凝集物が集合してなる膜状の凝集体を形成させる工程とを有し、前記反応液の１ドットあたりの吐出体積をＶｄ(ｐｌ)、前記相対走査の方向の記録解像度をＲｘ(ｄｐｉ)、前記ノズルの配列方向の記録解像度をＲｙ(ｄｐｉ)、前記反応液の記録デュ−ティーをｄｕｔｙ(％）とした場合、前記反応液の吐出条件が、
2004249725.tif 000006
なる関係を満たすことを特徴とする記録方法である。
【００１７】
本発明の別の実施態様は、［６］多価金属塩及び界面活性剤を含む反応液と、当該反応液の界面活性剤の含有率よりも高い含有率で界面活性剤を含む顔料インクとを吐出するための複数のノズルが配列された記録部を被記録媒体に対し相対的に走査させながら、前記記録部より被記録媒体に対し反応液を吐出してから顔料インクを吐出して記録を行う記録方法であって、前記被記録媒体の上面にて存在している反応液の界面に前記顔料インクを接触させる工程と、前記反応液と前記顔料インクとが接触した界面にて、凝集物が集合してなる膜状の凝集体を形成させる工程とを有し、少なくとも、前記被記録媒体の所定領域におけるインクの記録デューティーが１００％のときには、前記所定領域に対する反応液の吐出条件が、
2004249725.tif 000007
（但し、Ｖｄ(ｐｌ)：反応液の１ドットあたりの吐出体積、Ｒｘ(ｄｐｉ)：相対走査の方向の記録解像度、Ｒｙ(ｄｐｉ)：ノズルの配列方向の記録解像度、ｄｕｔｙ(％)：反応液の記録デュ−ティー）なる関係を満たすことを特徴とする記録方法である。
【００１８】
本発明の別の実施態様は、［７］多価金属塩を含む反応液と、当該反応液の表面張力よりも低い表面張力を有する顔料インクとを吐出するための複数のノズルが配列された記録部を被記録媒体に対し相対的に走査させながら、前記記録部から被記録媒体に反応液、顔料インクの順で吐出して記録を行う記録方法であって、前記被記録媒体の上面で前記反応液と前記顔料インクを接触させる工程と、前記反応液と前記顔料インクが接触した界面で、凝集物が集合してなる膜状の凝集体を形成させる工程と、前記被記録媒体に対する前記反応液の浸透性を促進させる工程とを有し、前記反応液の１ドットあたりの吐出体積をＶｄ(ｐｌ)、前記相対走査の方向の記録解像度をＲｘ(ｄｐｉ)、前記ノズルの配列方向の記録解像度をＲｙ(ｄｐｉ)、前記反応液の記録デュ−ティーをｄｕｔｙ(％）とした場合、前記反応液の吐出条件が、
2004249725.tif 000008
なる関係を満たすことを特徴とする記録方法である。
【００１９】
本発明の別の実施態様は、［８］多価金属塩を含む反応液と、当該反応液の表面張力よりも低い表面張力を有する顔料インクとを吐出するための複数のノズルが配列された記録部を被記録媒体に対し相対的に走査させながら、前記記録部から被記録媒体に反応液、顔料インクの順で吐出して記録を行う記録方法であって、前記被記録媒体の上面で前記反応液と前記顔料インクを接触させる工程と、前記反応液と前記顔料インクが接触した界面で、凝集物が集合してなる膜状の凝集体を形成させる工程と、前記被記録媒体に対する前記反応液の浸透性を促進させる工程とを有し、少なくとも、前記被記録媒体の所定領域におけるインクの記録デューティーが１００％のときには、前記所定領域に対する反応液の吐出条件が、
2004249725.tif 000009
（但し、Ｖｄ(ｐｌ)：反応液の１ドットあたりの吐出体積、Ｒｘ(ｄｐｉ)：相対走査の方向の記録解像度、Ｒｙ(ｄｐｉ)：ノズルの配列方向の記録解像度、ｄｕｔｙ(％)：反応液の記録デュ−ティー）なる関係を満たすことを特徴とする記録方法である。
【発明の効果】
【００２０】
本発明によれば、定着性及び発色性に優れ、裏抜け及びブリーディングを低減した記録方法、特にインクジェット記録方法を実現することができる。
【発明を実施するための最良の形態】
【００２１】
以下に発明を実施するための最良の形態を挙げて、本発明を更に詳細に説明する。先ず、本発明の前提となるインクジェット記録方法について、図１２〜図１５を用いて説明していく。
図１２は、本発明の前提となる基本的なインクジェット記録方法の概念を模式的に示したものである。図１２（ａ）は、被記録媒体１０の上面で反応液２０と顔料インク３０を接触させる工程を表しており、予め反応液２０を付与してある被記録媒体１０に、顔料インク３０を付与して反応液２０と接触させた瞬間を示している。尚、ここでは、反応液と顔料インクを液状で接触させるという観点及び膜状の凝集体を速やかに定着させるという観点から、反応液の浸透性よりも顔料インクの浸透性を高くしている。詳しくは、反応液の表面張力よりも顔料インクの表面張力を低くしている。この表面表力の関係は、例えば、反応液と顔料インク中の界面活性剤の含有比率を変えることにより調整可能である。
【００２２】
反応液２０の付与方法は、周知技術であるインクジェット法による付与が好適に使用できる。又、被記録媒体１０の上面で反応液２０と顔料インク３０を接触させるためには、被記録媒体１０に付与される反応液２０が被記録媒体１０に浸透しきる前に顔料インク３０を付与する必要がある。言い換えれば、被記録媒体の上面にて反応液が液状で存在している間に顔料インクを接触させる。これを実現するためには、低浸透性の反応液２０を用いることが好ましい。反応液２０が被記録媒体１０に対して低い浸透性を有していれば、顔料インク３０を付与するまでの時間をある程度置くことができるため好適な記録条件を設定しやすい。
【００２３】
次いで、図１２（ｂ）、（ｃ）及び（ｄ）は、反応液と顔料インクが接触した界面で膜状の凝集体３１ｃを形成させる工程を表している。この工程は、前の工程の直後、顔料の凝集物３１ｂが集合してなる膜状の凝集体３１ｃを形成することにある。尚、凝集物３１ｂが集合して膜状の凝集体３１ｃが形成されていく様子は、下記図１３にて詳細に説明する。
【００２４】
膜状の凝集体３１ｃを構成する凝集物３１ｂを形成するには、顔料インク３０中に含有されている成分と反応して顔料に凝集を起こさせる必要がある。その最適な手法は、反応液中に多価金属イオンを含有させて顔料を凝集させる方法であって、この方法に、反応液を低ｐＨにして酸析現象を利用する方法、カチオン性有機物質を含有させて凝集させる方法等を併用することもできる。
【００２５】
反応液に含有される多価金属イオン２１は、顔料インク３０中のカルボン酸イオン、スルホン酸イオン、リン酸イオン等と衝突することによって反応を起こし、これにより顔料の分散性を低下させ、結果的に、顔料の凝集を生じさせる。この顔料の凝集は、上記衝突の確率を高める程生じ易い。従って、反応液２０に含有される多価金属イオン２１は、顔料インク３０中の多価金属イオン２１と反応する逆極性イオンの総電荷濃度より多く含有させることが好ましい。ここでの総電荷濃度とは、反応液では単位質量当たりにおける多価金属イオンの数を、顔料インクでは単位質量当たりにおけるカルボン酸イオン、スルホン酸イオン、リン酸イオン等の逆極性イオンの数で定義している。
【００２６】
そして、このような反応液が被記録媒体の上面にて液状で存在している間に顔料インクを接触させると、図１２（ｂ）で示すように、高い衝突確率のために瞬時に顔料インク３０中のカルボン酸イオン、スルホン酸イオン、リン酸イオン等と多価金属イオンの結合が起こり、分散状態にある顔料粒子３１の電気的斥力を消失させた顔料粒子３１ａが生成される。そして、図１２（ｃ）及び（ｄ）で示すように、顔料粒子３１ａ同士の間に働くファンデルワールス引力により、急速に顔料粒子３１ａ同士による凝集物３１ｂが形成され、これら凝集物３１ｂが集合することによって膜状の凝集体３１ｃが形成される。
【００２７】
ここで、凝集物３１ｂの集合体である膜状の凝集体３１ｃを形成するメカニズムについて、図１３を用いてより詳細に説明する。図１３は、図１２（ｂ）〜（ｄ）の破線枠で示した部位を拡大した図である。先ず、図１３（ａ）に示されるように、顔料インク３０が反応液２０に接触した直後形成される凝集物３１ｂは、反応液２０の表面を界面活性剤３２と共に移動していく。反応液２０の表面を凝集物３１ｂと界面活性剤３２が移動するのは、顔料インク３０中の界面活性剤３２の含有率を高くしたことにより、顔料インク３０中の界面活性剤３２が反応液２０と接触したときに、反応液２０の表面を配向移動するからであり、この界面活性剤の流れに伴って凝集物３１ｂも移動するからである。その後、図１２（ｂ）に示されるように、凝集物３１ｂは反応液２０と被記録媒体１０の境界で止まり、又、後続の凝集物３１ｂも移動してくる。そして、図１２（ｃ）に示されるように、次々と形成される凝集物３１ｂが反応液２０の表面に配向していく。最終的には、図１２（ｄ）に示されるように、凝集物３１ｂの密度が高まり、反応液２０の表面で凝集物３１ｂが集合してなる膜状の凝集体３１ｃが形成される。
【００２８】
このようにして形成された膜状の凝集体３１ｃの特徴は、顔料粒子同士が凝集したものであることから、完全に何も通さない膜ではなく、これらの顔料粒子間を通って、顔料粒子より小さい顔料インク３０中の界面活性剤３２、溶媒、そして反応液中の多価金属イオン２１、溶媒は少なくとも通すことができる。
【００２９】
次に、図１２（ｅ）及び（ｆ）について説明する。図１２（ｅ）及び（ｆ）は、被記録媒体１０に対する反応液２０の浸透性を促進させるプロセスと、膜状の凝集体３１ｃを被記録媒体１０の表面に定着させるプロセスをほぼ同時に進行させる工程を時系列的に表したものである。
【００３０】
顔料インク３０中に含有される界面活性剤３２に代表される浸透促進剤と溶媒は反応液２０中に拡散していき、この拡散に伴って、反応液の浸透性が高まり、反応液２０中の溶媒成分及び顔料インク３０中の溶媒成分が被記録媒体１０に速やかに浸透していく。
【００３１】
そして、このプロセスが進行した状態が図１２（ｅ）であり、最終的には図１２（ｆ）で示すように、膜状の凝集体３１ｃが被記録媒体１０（例えば、複数の繊維で構成される普通紙）の表面に覆い被さるように定着して凝集膜３１ｄを形成する。実際には、普通紙の表面は繊維の凹凸による起伏があるため、図１４（ａ）で示されるように、膜状の凝集体３１ｃが形成された後、反応液２０中の溶媒成分及び顔料インク３０中の溶媒成分が被記録媒体１０に速やかに浸透して、図１４（ｂ）で示されるような繊維の凹凸からなる起伏に沿って膜状の凝集体３１ｃは覆い被さり、最終的には凝集膜３１ｄとなって定着する。このときの凝集膜３１ｄの特徴として、繊維間の谷部（凹部）を跨いで被覆するようなブリッジ状の凝集膜３１ｄとなっていたり、また凝集膜３１ｄにクラックが入ることが見られることもある。
【００３２】
そして、この工程により、定着性と発色性の両立が図れる。即ち、反応液２０と顔料インク３０の混合液体成分が被記録媒体１０に速やかに浸透していき、膜状の凝集体３１ｃを被記録媒体の表面に速やかに定着させることで、速い定着が達成できる。又、被記録媒体の表面に覆い被さるように定着された凝集膜３１ｄにより高い発色性が達成できる。
【００３３】
一方、前述した背景技術（前記特許文献１〜１１に記載の技術）には、顔料インクと反応液との接触界面において凝集物３１ｂが集合してなる膜状の凝集体３１ｃを形成することの知見は存在せず、これら従来技術では膜状の凝集体３１ｃを形成することはできない。そして、これら従来技術では、膜状の凝集体３１ｃの形成がなされていないため、最終的な被記録媒体表面には図１５に示されるような凝集物３１ｂが形成されるに過ぎず、凝集膜３１ｄが形成されるときのような高発色性を得ることはできない。
【００３４】
さて、今述べてきた前提条件となるインクジェット記録方法において、それぞれの条件が欠落した場合について下記に説明する。先ず、被記録媒体１０の上面でないところで反応液とインクとを接触させた場合について説明する。反応液２０を被記録媒体１０に含浸させて顔料インク３０と接触させると、殆どの反応は被記録媒体１０中で起こるため、顔料粒子の分布は被記録媒体１０の表面よりも内部で多くなり、このことにより高発色性を得ることができない。又、反応液の界面での凝集物３１ｂの生成が起こらないことから、凝集物３１ｂの集合体である膜状の凝集体３１ｃが形成されるはずもなく、この理由からも高発色性を得ることができない。更に、被記録媒体の裏面から着色剤が透けてみえる裏抜け問題も発生する。
【００３５】
又、被記録媒体１０に対して反応液２０の浸透性が高い場合は、顔料インクを付与するまでの時間を短くしなければならない。このことは、記録条件の条件設定範囲を狭くすることを意味している。例えば、反応液２０を付与した後に黒色顔料インク、カラー顔料インクを順次付与させていく記録方法において、黒色顔料インクと複数のカラー顔料インクの全てを短い時間に付与しなければならなくなるので、記録装置の駆動を高速に行わなければならない等の不都合が生じてくる。更に、反応液２０の浸透性は、被記録媒体１０の種類により異なるため、異なる被記録媒体１０では被記録媒体１０に依存した画像が形成される可能性があり、安定した記録物が得られないことが懸念される。更に、黒色顔料インク、カラー顔料インクとの反応速度の違いにより、被記録媒体１０の上面で接触させたとしても、被記録媒体１０の表面ではなく、被記録媒体に浸透してから反応が終了する可能性もあり、この場合にもまた、安定した記録物を得られない可能性がある。
【００３６】
次に、膜状の凝集体３１ｃが形成されない場合について説明する。顔料粒子が電気的斥力を消失して凝集しても膜状にならず、いくつかの顔料粒子同士が集まった細かい凝集物を形成する場合がある。本発明者らの検討では、この凝集物３１ｂの大きさは１０μｍ以下の場合が多く、このように形成された細かい凝集物は、反応液２０と顔料インク３０の液体成分が浸透するに伴って、ほとんどの凝集物が液体成分と一緒に被記録媒体１０の繊維間に流れていくことが分かっている。このため定着性は優れていても、発色性の低い記録物になってしまう恐れがある。
【００３７】
次に、顔料インク中の界面活性剤３２に代表される浸透促進剤が反応液２０中に拡散することによる反応液の浸透性の変化であるが、もし、浸透促進剤が反応液２０中に拡散しなかった場合は、反応液の浸透性が変化せず、顔料インク３０の液体成分は膜状の凝集体３１ｃ上に保持される。そのため、印字部は長時間かけて溶媒を乾燥させることになり、定着性が低くなってしまう問題が発生する。又、顔料インクに浸透促進剤がない場合も同様で、反応液２０の浸透性は変化しないために、印字部は長時間に渡って液体を保持することになり定着性が低下する問題が発生する。
【００３８】
次に、本発明を特徴づける反応液の付与形態について述べる。本発明者らは、印字物の、発色性、定着性、ブリーディング、色の裏抜け問題の諸問題を同時に解決するための手法を鋭意検討した。その結果、被記録媒体への反応液の付与形態を、下記式（１）となるように制御すれば上記諸問題の解決を達成できる、ということを見出した。
2004249725.tif 000010
上記式（１）で、Ｖｄ(ｐｌ）は、反応液の１ドットあたりの吐出体積である。Ｒｘ(ｄｐｉ）は、記録方向の解像度である。記録方向とは、反応液の吐出動作を伴う、記録ヘッドと被記録媒体との相対走査の方向である。尚、ｄｐｉとは、ｄｏｔ／ｉｎｃｈの略であり、１インチあたりのドット数を表した単位である。Ｒｙ(ｄｐｉ）は、記録ヘッドのノズル配列方向の解像度である。ノズル配列方向は、上記した相対走査による記録方向と略直交する。ｄｕｔｙ(％）は、反応液の記録ディーティー（ｄｕｔｙ）を表している。
【００３９】
ここで、「記録デューティー（ｄｕｔｙ）」とは、記録解像度（Ｒｘ、Ｒｙ）によって定まる画素数に対する実際の吐出ドット数の割合のことである。例えば、記録解像度（Ｒｘ×Ｒｙ）を１，２００ｄｐｉ×１，２００ｄｐｉとした場合、１／１，２００ｉｎｃｈ×１／１，２００ｉｎｃｈの単位領域が１画素と定義され、これに伴い被記録媒体上の所定領域における画素の数Ｎも定義される。そして、所定領域における反応液の記録デューティー（ｄｕｔｙ）は、所定領域に実際に吐出されるドット数Ｍ÷所定領域における画素数Ｎ×１００により算出される。尚、ここで、所定領域とは、被記録媒体上の全域に対応した領域であってもよいし、記録ヘッドの１回の走査に対応した１バンド領域であってもよいし、この１バンド領域を更に分割してなる分割領域であってもよい。
【００４０】
このように記録デュ−ティー（ｄｕｔｙ）は、記録解像度（Ｒｘ、Ｒｙ）によって定まる画素に対して平均Ｍ／Ｎ発のドットが打ち込まれることを意味し、例えば、記録デュ−ティー１００％とは、画素に対して平均１発のドットが打ち込まれることを意味し、記録デュ−ティー２５％とは、画素に対して平均０．２５発のドットが打ち込まれることを意味する。
【００４１】
さて、上記式（１）は、本発明者らの検討によって導き出されたものであり、後述する表１に示される実施例と比較例の結果を元に、本発明の目的を満足する複数のデータ値から吐出体積Ｖｄ（ｐｌ）と印字ｄｕｔｙの関係を累乗近似し、これに記録解像度（Ｒｘ、Ｒｙ）に対して反比例するように補正して得た式である。
【００４２】
図１６〜図１８は、後述する表１の実施例及び比較例に示される反応液の吐出条件（吐出体積Ｖｄ、記録デューティー（ｄｕｔｙ））を、記録解像度（Ｒｘ、Ｒｙ）毎にプロットしたグラフである。図１６は、記録解像度（Ｒｘ、Ｒｙ）がＲｘ＝１，２００、Ｒｙ＝１，２００であるときの反応液の吐出体積Ｖｄ(ｐｌ）と印字ｄｕｔｙの関係を表したものである。図１７は、記録解像度（Ｒｘ、Ｒｙ）がＲｘ＝６００、Ｒｙ＝１，２００であるときの反応液の吐出体積Ｖｄ(ｐｌ）と印字ｄｕｔｙの関係を表したものである。図１８は、記録解像度（Ｒｘ、Ｒｙ）がＲｘ＝６００、Ｒｙ＝６００であるときの反応液の吐出体積Ｖｄ(ｐｌ）と印字ｄｕｔｙの関係を表したものである。
【００４３】
図１６〜図１８において、上側の線と下側の線に挟まれた領域が、発色性・定着性・ブリーディング・色の裏抜けを満足する条件に対応した領域（ＯＫ領域）である。そして、これら３つのグラフのＯＫ領域を満たすよう、累乗近似により導いた式に、記録解像度（Ｒｘ、Ｒｙ）に対して反比例するように補正した式が上記式（１）である。
【００４４】
ところで、後述するように、上記式（１）は、インクの記録デューティー（以下、インクデューティーという）が１００％のときの最適な反応液吐出条件を規定したものである。従って、インクデューティーが１００％のときには、上記式（１）を満たしている必要がある。しかし、インクデューティーが１００％以外のときまでは、上記式（１）を満たしている必要はない。本発明は、少なくともインクデューティーが１００％のときに上記式（１）を満たすような形態であればよく、インクデューティーが１００％である所定領域に対する反応液の吐出条件が、上記式（１）の関係を満たしさえすれば十分である。勿論、インクデューティーに関係なく、常に上記式（１）を満たす形態であってもよい。
【００４５】
先に述べた前提となる記録方法において、印字物の、発色性、定着性、ブリーディング、色の裏抜け問題の諸問題の解決に対する最適な記録条件は、反応液の付与量と顔料インク（着色インク）の付与量との相関関係によって定められるのではなく、反応液の付与量によって決定づけられているのが特徴である。その理由は、前提となるインクジェット記録方法は、反応液と顔料インクが接触した界面で瞬時に膜状の凝集体を形成することに特徴があり、接触する界面は顔料インクの付与量に依存するものではなく、付与される位置の面積に依存すると推定されるからである。そのため反応液の付与量は、顔料インクの２次色、３次色の付与量に関係なく一定であり、１次色と同じ付与量でよいことになる。
【００４６】
ところで、上記式（１）の右辺を超えた場合、反応液の液滴はドット形状を維持せず、被記録媒体の表面一面が反応液で濡れた状態となっている。反応液が被記録媒体の表面を覆う割合である被覆率で概算すると１００％に近い状態となっている。このとき、先に述べた前提となる記録方法では、反応液と顔料インクが接触したことで生じた顔料の凝集物は、顔料インク中の界面活性剤が反応液界面を移動していく流れに沿って一緒に移動していくため、隣接に異なる色のドットが配置されると一見ブリーディングのような印刷物となってしまう。又、反応液の量が多いため、定着に要する時間も長くなってしまい、定着性にも難がある。
【００４７】
一方、上記式（１）の左辺を下回った場合、反応液の液滴はドット形状を維持し、隣接するドットとは接触せずに孤立して存在しているが、反応液の存在しないところでも顔料インクによる画像形成が為されることから、反応しない顔料インクが多量に発生してしまう。このことによって、発色性は低下し、ブリーディングは悪くなり、色の裏抜けが発生してしまう。
【００４８】
次に、本発明において使用する反応液について説明する。本発明における反応液に含有させる顔料インクと反応する反応剤としては、最も好適なものとして多価金属塩を挙げることができる。多価金属塩は、二価以上の多価金属イオンとこれら多価金属イオンに結合する陰イオンとから構成される。多価金属イオンの具体例としては、Ｃａ2+、Ｃｕ2+、Ｎｉ2+、Ｍｇ2+、Ｚｎ2+等の二価金属イオン、そしてＦｅ3+、Ａｌ3+等の三価金属イオンが挙げられる。又、陰イオンとしては、Ｃｌ-、ＮＯ3-、ＳＯ42-等が挙げられる。反応液と顔料インクが接触した界面で瞬時に凝集膜を形成させるためには、両者が瞬時に反応するように構成することを要するが、例えば、反応液中の多価金属イオンの総電荷濃度を、顔料インク中の逆極性イオンの総電荷濃度の２倍以上となるようにすることが望ましい。
【００４９】
本発明において使用する反応液は、上記したような反応剤を含有し、被記録媒体に付与され、後から付与されてくる顔料インクによって良好な画像を形成できるものであればいずれのものであってもよい。例えば、上記した反応剤を、水或いは水と水溶性有機溶剤とからなる水性液媒体に溶解したものが好ましい。使用できる水溶性有機溶剤としては、例えば、ジメチルホルムアミド、ジメチルアセトアミド等のアミド類、アセトン等のケトン類、テトラヒドロフラン、ジオキサン等のエーテル類、ポリエチレングリコール、ポリプロピレングリコール等のポリアルキレングリコール類、エチレングリコール、プロピレングリコール、ブチレングリコール、トリエチレングリコール、１，２，６−ヘキサントリオール、チオジグリコール、ヘキシレングリコール、ジエチレングリコール等のアルキレングリコール類、エチレングリコールメチルエーテル、ジエチレングリコールモノメチルエーテル、トリエチレングリコールモノメチルエーテル等の多価アルコールの低級アルキルエーテル類、エタノール、イソプロピルアルコール、ｎ−ブチルアルコール、イソブチルアルコール等の１価アルコール類の他、グリセリン、Ｎ−メチル−２−ピロリドン、１，３−ジメチル−イミダゾリジノン、トリエタノールアミン、スルホラン、ジメチルサルホキサイド等が挙げられる。本発明における反応液中における上記水溶性有機溶剤の含有量については特に制限はないが、反応液全質量の５〜６０質量％、更に好ましくは、５〜４０質量％が好適な範囲である。
【００５０】
又、本発明で使用する反応液には、更にこの他、必要に応じて、粘度調整剤、ｐＨ調整剤、防腐剤、酸化防止剤等の添加剤を適宜に配合しても構わないが、浸透促進剤として機能する界面活性剤の選択と添加量は、被記録媒体に対する反応液の浸透性を適宜なものに抑制する上で、注意が必要である。更に、本発明で使用する反応液は、無色であることがより好ましいが、被記録媒体上でインクと混合された際に、各色インクの色調を変えない範囲の淡色のものでもよい。更に、本発明で使用する反応液は、２５℃付近での粘度が１〜３０ｃｐｓ．（ｍＰａ・ｓ）の範囲となるように調整されたものが好ましい。
【００５１】
次に、本発明における顔料インクについて説明する。本発明で使用される顔料インクの顔料は、顔料インクの全質量に対して、質量比で１〜２０質量％、好ましくは２〜１２質量％の範囲で用いる。本発明において使用される顔料としては、具体的には、黒色の顔料としてはカーボンブラックが挙げられ、例えば、ファーネス法、チャネル法で製造されたカーボンブラックであって、一次粒子径が１５〜４０ｍμ（ｎｍ）、ＢＥＴ法による比表面積が５０〜３００ｍ2／ｇ、ＤＢＰ吸油量が４０〜１５０ｍｌ／１００ｇ、揮発分が０．５〜１０％、ｐＨ値が２〜９等の特性を有するものが好ましく用いられる。このような特性を有する市販品としては、例えば、Ｎｏ．２３００、Ｎｏ．９００、ＭＣＦ８８、Ｎｏ．３３、Ｎｏ．４０、Ｎｏ．４５、Ｎｏ．５２、ＭＡ７、ＭＡ８、Ｎｏ．２２００Ｂ（以上、三菱化成製）、ＲＡＶＥＮ１２５５（以上、コロンビア製）、ＲＥＧＡＬ４００Ｒ、ＲＥＧＡＬ３３０Ｒ、ＲＥＧＡＬ６６０Ｒ、ＭＯＧＵＬ  Ｌ（以上キャボット製）、Ｃｏｌｏｒ  Ｂｌａｃｋ  ＦＷｌ、Ｃｏｌｏｒ  Ｂｌａｃｋ  ＦＷ１８、Ｃｏｌｏｒ  Ｂｌａｃｋ  Ｓ１７０、Ｃｏｌｏｒ  Ｂｌａｃｋ  Ｓ１５０、Ｐｒｉｎｔｅｘ  ３５、Ｐｒｉｎｔｅｘ  Ｕ（以上、デグッサ製）等があり、いずれも好ましく使用することができる。
【００５２】
又、イエローの顔料としては、例えば、Ｃ．Ｉ．Ｐｉｇｍｅｎｔ  Ｙｅｌｌｏｗ  １、Ｃ．Ｉ．Ｐｉｇｍｅｎｔ  Ｙｅｌｌｏｗ  ２、Ｃ．Ｉ．Ｐｉｇｍｅｎｔ  Ｙｅｌｌｏｗ  ３、Ｃ．Ｉ．Ｐｉｇｍｅｎｔ  Ｙｅｌｌｏｗ  １３、Ｃ．Ｉ．Ｐｉｇｍｅｎｔ  Ｙｅｌｌｏｗ  １６、Ｃ．Ｉ．Ｐｉｇｍｅｎｔ  Ｙｅｌｌｏｗ  ８３等が挙げられ、マゼンタの顔料としては、例えば、Ｃ．Ｉ．Ｐｉｇｍｅｎｔ  Ｒｅｄ  ５、Ｃ．Ｉ．Ｐｉｇｍｅｎｔ  Ｒｅｄ  ７、Ｃ．Ｉ．Ｐｉｇｍｅｎｔ  Ｒｅｄ  １２、Ｃ．Ｉ．Ｐｉｇｍｅｎｔ  Ｒｅｄ  ４８（Ｃａ）、Ｃ．Ｉ．Ｐｉｇｍｅｎｔ  Ｒｅｄ  ４８（Ｍｎ）、Ｃ．Ｉ．Ｐｉｇｍｅｎｔ  Ｒｅｄ  ５７（Ｃａ）、Ｃ．Ｉ．Ｐｉｇｍｅｎｔ  Ｒｅｄ  １１２、Ｃ．Ｉ．Ｐｉｇｍｅｎｔ  Ｒｅｄ  １２２等が挙げられ、シアンの顔料としては、例えば、Ｃ．Ｉ．Ｐｉｇｍｅｎｔ  Ｂｌｕｅ  １、Ｃ．Ｉ．Ｐｉｇｍｅｎｔ  Ｂｌｕｅ  ２、Ｃ．Ｉ．Ｐｉｇｍｅｎｔ  Ｂｌｕｅ  ３、Ｃ．Ｉ．Ｐｉｇｍｅｎｔ  Ｂｌｕｅ  １５：３、Ｃ．Ｉ．Ｐｉｇｍｅｎｔ  Ｂｌｕｅ  １６、Ｃ．Ｉ．Ｐｉｇｍｅｎｔ  Ｂｌｕｅ  ２２、Ｃ．Ｉ．Ｖａｔ  Ｂｌｕｅ  ４、Ｃ．Ｉ．Ｖａｔ  Ｂｌｕｅ  ６等が挙げられる。勿論、本発明は、これらに限られるものではない。又、以上の他、自己分散型顔料等、新たに製造された顔料も、勿論、使用することが可能である。
【００５３】
又、本発明で使用する顔料インクは、上記したような顔料の分散剤を含有するものであってもよい。この際に使用する分散剤としては、水溶性樹脂ならどのようなものでもよいが、重量平均分子量が１，０００〜３０，０００の範囲のものが好ましく、更に好ましくは、３，０００〜１５，０００の範囲のものを使用する。このような分散剤としては、具体的には、例えば、スチレン、スチレン誘導体、ビニルナフタレン、ビニルナフタレン誘導体、α，β−エチレン性不飽和カルボン酸の脂肪族アルコールエステル等、アクリル酸、アクリル酸誘導体、マレイン酸、マレイン酸誘導体、イタコン酸、イタコン酸誘導体、フマール酸、フマール酸誘導体、酢酸ビニル、ビニルピロリドン、アクリルアミド、及びその誘導体等から選ばれた少なくとも２つの単量体（このうち少なくとも１つは親水性の重合性単量体）からなるブロック共重合体、或いは、ランダム共重合体、グラフト共重合体、又はこれらの塩等が挙げられる。或いは、ロジン、シェラック、デンプン等の天然樹脂も好ましく使用することができる。これらの樹脂は、塩基を溶解させた水溶液に可溶であり、アルカリ可溶型樹脂である。尚、これらの顔料分散剤として用いられる水溶性樹脂は、顔料インクの全質量に対して０．１〜５質量％の範囲で含有させるのが好ましい。
【００５４】
特に、上記に列挙したような顔料が含有されている顔料インクの場合には、顔料インクの全体が中性又はアルカリ性に調整されていることが好ましい。このようなものとすれば、顔料分散剤として使用される水溶性樹脂の溶解性を向上させ、長期保存性に一層優れた顔料インクとすることができるので好ましい。但し、この場合、インクジェット記録装置に使われている種々の部材の腐食の原因となる場合があるので、好ましくは、７〜１０のｐＨ範囲とするのが望ましい。この際に使用されるｐＨ調整剤としては、例えば、ジエタノールアミン、トリエタノールアミン等の各種有機アミン、水酸化ナトリウム、水酸化リチウム、水酸化カリウム等のアルカリ金属の水酸化物等の無機アルカリ剤、有機酸や鉱酸等が挙げられる。上記したような顔料及び分散剤である水溶性樹脂は、水性液媒体中に分散又は溶解される。
【００５５】
本発明で使用される顔料インクは、顔料及び必要に応じて使用される分散剤を水性液媒体に分散或いは溶解してなるが、水性液媒体として好適なものは、水及び水溶性有機溶剤の混合溶媒であり、水としては種々のイオンを含有する一般の水ではなく、イオン交換水（脱イオン水）を使用するのが好ましい。
【００５６】
水と混合して使用される水溶性有機溶剤としては、例えば、メチルアルコール、エチルアルコール、ｎ−プロピルアルコール、イソプロピルアルコール、ｎ−ブチルアルコール、ｓｅｃ−ブチルアルコール、ｔｅｒｔ−ブチルアルコール等の炭素数１〜４のアルキルアルコール類；ジメチルホルムアミド、ジメチルアセトアミド等のアミド類；アセトン、ジアセトンアルコール等のケトン又はケトアルコール類；テトラヒドロフラン、ジオキサン等のエーテル類；ポリエチレングリコール、ポリプロピレングリコール等のポリアルキレングリコール類；エチレングリコール、プロピレングリコール、ブチレングリコール、トリエチレングリコール、１，２，６−ヘキサントリオール、チオジグリコール、ヘキシレングリコール、ジエチレングリコール等のアルキレン基が２〜６個の炭素原子を含むアルキレングリコール類；グリセリン；エチレングリコールモノメチル（又はエチル）エーテル、ジエチレングリコールメチル（又はエチル）エーテル、トリエチレングリコールモノメチル（又はエチル）エーテル等の多価アルコールの低級アルキルエーテル類；Ｎ−メチル−２−ピロリドン、２−ピロリドン、１，３−ジメチル−２−イミダゾリジノン等が挙げられる。これらの多くの水溶性有機溶剤の中でも、特に、ジエチレングリコール等の多価アルコール、トリエチレングリコールモノメチル（又はエチル）エーテル等の多価アルコールの低級アルキルエーテルが好ましい。
【００５７】
上記したような水溶性有機溶剤の顔料インク中の含有量は、一般的には、顔料インクの全質量の３〜５０質量％の範囲、より好ましくは３〜４０質量％の範囲で使用する。又、使用される水の含有量としては、顔料インクの全質量の１０〜９０質量％、好ましくは３０〜８０質量％の範囲とする。
【００５８】
又、本発明における顔料インクとしては、上記の成分の他に、必要に応じて所望の物性値を持つ顔料インクとするために、界面活性剤、消泡剤、防腐剤等を適宜に添加することができる。特に、浸透促進剤として機能する界面活性剤は、第３ステップで、被記録媒体に反応液や顔料インクの液体成分を速やかに浸透させる役割を担うため、かかる役割を果たすことのできる適量を添加する必要がある。添加量の例としては、顔料インク中に０．０５〜１０質量％、好ましくは０．５〜５質量％が好適である。アニオン性界面活性剤の例としては、カルボン酸塩型、硫酸エステル型、スルホン酸塩型、燐酸エステル型等、一般に使用されているものをいずれも好ましく使用することができる。
【００５９】
上記したような成分からなる顔料インクの作製方法としては、初めに、分散剤としての水溶性樹脂と、水とが少なくとも含有された水性媒体に顔料を添加し、混合撹拌した後、後述の分散手段を用いて分散を行い、必要に応じて遠心分離処理を行って所望の分散液を得る。次に、この分散液にサイズ剤、及び、上記で挙げたような適宜に選択された添加剤成分を加え、撹拌して本発明で使用する顔料インクとする。
【００６０】
尚、分散剤として前記したようなアルカリ可溶型樹脂を使用する場合には、樹脂を溶解させるために塩基を添加することが必要であるが、この際の塩基類としては、モノエタノールアミン、ジエタノールアミン、トリエタノールアミン、アミンメチルプロパノール、アンモニア等の有機アミン、或いは水酸化カリウム、水酸化ナトリウム等の無機塩基が好ましく使用される。
【００６１】
又、顔料インクの作製方法においては、顔料を含む水性媒体を攪拌し、分散処理する前に、プレミキシングを３０分間以上行うのが効果的である。即ち、このようなプレミキシング操作は、顔料表面の濡れ性を改善し、顔料表面への分散剤の吸着を促進することができるため好ましい。
【００６２】
上記した顔料の分散処理の際に使用される分散機は、一般に使用される分散機なら、如何なるものでもよいが、例えば、ボールミル、ロールミル及びサンドミル等が挙げられる。その中でも、高速型のサンドミルが好ましく使用される。このようなものとしては、例えば、スーパーミル、サンドグラインダー、ビーズミル、アジテータミル、グレンミル、ダイノーミル、パールミル及びコボルミル（いずれも商品名）等が挙げられる。
【００６３】
又、顔料インクをインクジェット記録方法に適用する場合には、耐目詰り性等の要請から、最適な粒度分布を有する顔料を用いるが、所望の粒度分布を有する顔料を得る方法としては、分散機の粉砕メディアのサイズを小さくすること、粉砕メディアの充填率を大きくすること、処理時間を長くすること、吐出速度を遅くすること、粉砕後フィルタや遠心分離機等で分級すること、及びこれらの手法の組合せ等の手法が挙げられる。
【００６４】
次に、上記した反応液と顔料インクを適用したインクジェット記録方法について説明する。更に、当該方法に適用することが好適なカートリッジ、記録ユニット、インクジェット記録装置、及び、これらの装置に好適に用いられる液体吐出ヘッドの構成の具体例を説明する。
図１は、本発明で使用可能なインクジェット記録装置の一例の要部を示す概略斜視図である。
【００６５】
図１においては、インクジェット記録装置は、ケーシング１００８内に長手方向に沿って設けられる被記録媒体としての用紙１０２８を、図中に示した矢印Ｐで示す方向に間欠的に搬送する搬送部１０３０と、該搬送部１０３０による用紙１０２８の搬送方向Ｐに略直交する矢印Ｓ方向に略平行に、ガイド軸１０１４に沿って往復運動せしめられる記録部１０１０と、記録部１０１０を往復運動させる駆動手段としての移動駆動部１００６とを含んで構成されている。
【００６６】
移動駆動部１００６は、所定の間隔をもって対向配置される回転軸に配されるプーリ１０２６ａ、及び、該プーリ１０２６ｂに巻きかけられるベルト１０１６、ローラユニット１０２２ａ、及び、該ローラユニット１０２２ｂに略平行に配置され記録部１０１０のキャリッジ部材１０１０ａに連結されるベルト１０１６を順方向及び逆方向に駆動させるモータ１０１８、とを含んで構成されている。
【００６７】
モータ１０１８が作動状態とされてベルト１０１６が図１の矢印Ｒ方向に回転したとき、記録部１０１０のキャリッジ部材１０１０ａは、図１の矢印Ｓ方向に所定の移動量だけ移動される。又、モータ１０１８が作動状態とされてベルト１０１６が図中に示した矢印Ｒ方向とは逆方向に回転したとき、記録部１０１０のキャリッジ部材１０１０ａは、図１の矢印Ｓ方向とは反対の方向に所定の移動量だけ移動されることとなる。更に、移動駆動部１００６の一端部には、キャリッジ部材１０１０ａのホームポジションとなる位置に、記録部１０１０の吐出回復処理を行うための回復ユニット１０２６が、記録部１０１０のインク吐出口配列に対向して設けられている。
【００６８】
記録部１０１０は、インクジェットカートリッジ（以下、単にカートリッジと記述する場合がある）１０１２とキャリッジ部材１０１０ａとを含んで構成され、カートリッジ１０１２はキャリッジ部材１０１０ａに対して着脱自在に備えられる。カートリッジ１０１２Ｙ、１０１２Ｍ、１０１２Ｃ及び１０１２Ｂはそれぞれ、イエロー、マゼンタ、シアン及びブラックの各色顔料インクに対応し、又、カートリッジ１０１２Ｓは反応液に対応するものである。
このような構成を有するインクジェット記録装置は、反応液の吐出条件（反応液の吐出体積Ｖｄ、反応液の記録解像度Ｒｘ、Ｒｙ、反応液の記録デューティーｄｕｔｙ）上記式（１）を満たすように予め設定されている。
【００６９】
図２は、上述のインクジェット記録装置に搭載可能なインクジェットカートリッジの一例を示す。本例におけるカートリッジ１０１２は、シリアルタイプのものであり、インクジェット記録ヘッド（以下、液体吐出ヘッドともいう）１００と、インクや反応液等の液体を収容する液体タンク１００１とで主要部が構成されている。
【００７０】
インクジェット記録ヘッド１００は、インクや反応液等の液体を吐出するための多数の吐出口８３２が形成されており、インクや反応液等の液体は、液体タンク１００１から図示しない液体供給通路を介して液体吐出ヘッド１００の共通液室（図３参照）へと導かれるようになっている。図２に示したカートリッジ１０１２は、インクジェット記録ヘッド１００と液体タンク１００１とを一体的に形成し、必要に応じて液体タンク１００１内に液体を補給できるようにしたものであるが、この液体吐出ヘッド１００に対し、液体タンク１００１を交換可能に連結した構造を採用するようにしてもよい。
【００７１】
このような構成のインクジェット記録装置に搭載され得る上述の液体吐出ヘッドの具体例を、以下に更に詳しく説明する。図３は、本発明で使用できるインクジェット記録装置に好適な液体吐出ヘッドの要部を模式的に示した概略斜視図である。尚、これらの図において、電気熱変換素子を駆動するための電気的な配線等は省略している。
【００７２】
本発明で使用する液体吐出ヘッドにおいては、例えば、図３に示されるような、ガラス、セラミックス、プラスチック或いは金属等からなる基板９３４が用いられる。このような基板の材質は、本発明の本質ではなく、流路構成部材の一部として機能し、インク吐出エネルギー発生素子、及び後述する液流路、吐出口を形成する材料層の支持体として、機能し得るものであれば特に限定されるものではない。そこで、本例では、Ｓｉ基板（ウエハ）を用いた場合で説明する。このような基板９３４上にインク吐出口を形成するが、その方法としては、レーザー光による形成方法の他、例えば、後述するオリフィスプレート（吐出口プレート）９３５を感光性樹脂として、ＭＰＡ（Mirror Projection Aliner）等の露光装置により、吐出口を形成する方法も挙げられる。
【００７３】
図３において、９３４は、電気熱変換素子（以下、ヒータと記述する場合がある）９３１、及び、共通液室部としての長溝状の貫通口からなるインク供給口９３３を備える基板であり、該インク供給口９３３の長手方向の両側には、熱エネルギー発生手段であるヒータ９３１がそれぞれ１列ずつ千鳥状に、電気熱変換素子の間隔が、例えば、６００ｄｐｉで配列されている。又、この基板９３４には、インク流路を形成するためのインク流路壁９３６が設けられている。このインク流路壁９３６には、更に吐出口８３２を備える吐出口プレート９３５が設けられている。
【００７４】
ここで、図３においては、インク流路壁９３６と吐出口プレート９３５とは、別部材として示されているが、このインク流路壁９３６を、例えば、スピンコート等の手法によって基板９３４上に形成することにより、インク流路壁９３６と吐出口プレート９３５とを同一部材として同時に形成することも可能である。ここでは、更に、吐出口面（上面）９３５ａ側は撥水処理が施されている。
【００７５】
例示した装置では、図１の矢印Ｓ方向に走査しながら記録を行うシリアルタイプのヘッドを用い、例えば、１，２００ｄｐｉで記録を行う。駆動周波数は１０ｋＨｚであり、一つの吐出口では、最短時間間隔１００μｓ毎に吐出を行うことになる。
【００７６】
次に、上述の構成のインクジェット記録ヘッドによる液体の吐出動作について図４〜図１１を用いて説明する。図４〜図１１は、図３に記載の液体吐出ヘッドの液体吐出動作を説明するための断面図であり、図３に示すＸ−Ｘ断面図である。この断面において吐出口部９４０のオリフィスプレート厚み方向の端部は、溝１１４１の頂部１１４１ａとなっている。
【００７７】
図４は、ヒータ上に膜状の気泡が生成した状態を示し、図５は、図４の約１μｓ後、図６は、図４の約２μｓ後、図７は、図４の約３μｓ後、図８は、図４の約４μｓ後、図９は、図４の約５μｓ後、図１０は、図４の約６μｓ後、図１１は、図４の約７μｓ後の状態をそれぞれ示している。尚、以下の説明において、「落下」又は「落とし込み」、「落ち込み」とは、いわゆる重力方向への落下という意味ではなく、ヘッドの取り付け方向によらず、電気熱変換素子の方向への移動をいう。
【００７８】
先ず、図４に示すように、記録信号等に基づいたヒータ９３１への通電に伴ってヒータ９３１上の液流路１３３８内に気泡１０１が生成されると、該気泡は、２μｓ間に図５及び図６に示したように急激に体積膨張して成長する。気泡１０１の最大体積時における高さは吐出口面９３５ａを上回るが、このとき、気泡の圧力は大気圧の数分の１から１０数分の１にまで減少している。
【００７９】
次に、気泡１０１の生成から約２μｓ後の時点で、気泡１０１は上述のように最大体積から体積減少に転じるが、これとほぼ同時にメニスカス１０２の形成も始まる。このメニスカス１０２も、図７に示したように、ヒータ９３１側への方向に後退、即ち、落下してゆく。
【００８０】
ここで、図示した例の液体吐出ヘッドにおいては、吐出口部に複数の溝１１４１が分散した状態で設けられていることにより、メニスカス１０２が後退する際に、溝１１４１の部分では、メニスカス後退方向ＦMとは反対方向ＦCに毛管力が作用する。その結果、仮に何らかの原因により気泡１０１の状態に多少のバラツキが認められたとしても、メニスカスの後退時のメニスカス及び主液滴（以下、液体又はインクと記述する場合がある）Ｉaの形状が、吐出口中心に対して略対称形状となるように補正される。
【００８１】
そして、図示した例の液体吐出ヘッドでは、このメニスカス１０２の落下速度が気泡１０１の収縮速度よりも速いために、図８に示したように、気泡の生成から約４μｓ後の時点で気泡１０１が吐出口８３２の下面近傍で大気に連通する。このとき、吐出口８３２の中心軸近傍の液体（インク）は、ヒータ９３１に向かって落ち込んでゆく。これは、大気に連通する前の気泡１０１の負圧によってヒータ９３１側に引き戻された液体（インク）Ｉaが、気泡１０１の大気連通後も慣性でヒータ９３１面方向の速度を保持しているからである。
【００８２】
ヒータ９３１側に向かって落ち込んでいった液体（インク）は、図９に示すように気泡１０１の生成から約５μｓ後の時点でヒータ９３１の表面に到達し、図１０に示すように、ヒータ９３１の表面を覆うように拡がってゆく。このようにヒータ９３１の表面を覆うように拡がった液体は、ヒータ９３１の表面に沿った水平方向のベクトルを有するが、ヒータ９３１の表面に交差する、例えば、垂直方向のベクトルは消滅し、ヒータ９３１の表面上に留まろうとし、それよりも上側の液体、即ち、吐出方向の速度ベクトルを保つ液体を下方向に引っ張ることになる。
【００８３】
その後、ヒータ９３１の表面に拡がった液体と、上側の液体（主液滴）との間の液体部分Ｉbが細くなってゆき、気泡１０１の生成から約７μｓ後の時点で図１１に示したようにヒータ９３１の表面の中央で液体部分Ｉbが切断され、吐出方向の速度ベクトルを保つ主液滴Ｉaと、ヒータ９３１の表面上に拡がった液体Ｉcとに分離される。このように分離の位置は液流路１３３８内部、より好ましくは、吐出口８３２よりも電気熱変換素子９３１側が望ましい。
【００８４】
主液滴Ｉaは吐出方向に偏りがなく、吐出ヨレすることなく、吐出口８３２の中央部分から吐出され、被記録媒体の被記録面の所定位置に着弾される。又、ヒータ９３１の表面上に拡がった液体Ｉcは、従来であれば、主液滴の後続としてサテライト滴となって飛翔するものであるが、ヒータ９３１の表面上に留まり、吐出されない。
【００８５】
このように、サテライト滴の吐出を抑制することができるため、サテライト滴の吐出により発生し易いスプラッシュを防止することができ、霧状に浮遊するミストによって被記録媒体の被記録面が汚れるのを確実に防止することが可能となる。尚、図８〜１１において、Ｉdは溝部に付着したインク（溝内のインク）を、又、Ｉeは液流路１３３８内に残存しているインクを表している。
【００８６】
このように、図示した例の液体吐出ヘッドでは、気泡が最大体積に成長した後の体積減少段階で液体を吐出する際に、吐出口の中心に対して分散した複数の溝により、吐出時の主液滴の方向を安定化させることができる。その結果、吐出方向のヨレのない、着弾精度の高い液体吐出ヘッドを提供することができる。又、高い駆動周波数での発泡ばらつきに対しても吐出を安定して行うことができることによる、高速高精細印字を実現することができる。
【００８７】
特に、図示した例の液体吐出ヘッドでは、気泡の体積減少段階で、この気泡を始めて大気と連通させることで液体を吐出することにより、気泡を大気に連通させて液滴を吐出する際に発生するミストを防止できるので、所謂、突然不吐出の要因となる、吐出口面に液滴が付着する状態を抑制することもできる。本発明に好適に使用できる、上記したような吐出時に気泡を大気と連通する吐出方式の記録ヘッドの他の実施態様としては、例えば、特許第２７８３６４７号公報に記載のように、いわゆるエッジシュータータイプが挙げられる。
【００８８】
本発明の記録方法は、特にインクジェット記録方式の中でも、熱エネルギーを利用して飛翔的液滴を形成し、記録を行うインクジェット方式の記録ヘッドや記録装置において、優れた効果をもたらすものである。その代表的な構成や原理については、例えば、米国特許第４，７２３，１２９号明細書及び同第４，７４０，７９６号明細書に開示されている基本的な原理を用いて行うものが好ましい。
【００８９】
この方式は、いわゆるオンデマンド型及びコンティニュアス型のいずれにも適用可能であるが、特に、オンデマンド型の場合には、液体（インク）が保持されているシートや液路に対応して配置されている電気熱変換体に、記録情報に対応していて膜沸騰を超える急速な温度上昇を与える少なくとも一つの駆動信号を印加することによって、電気熱変換体に熱エネルギーを発生せしめ、記録ヘッドの熱作用面に膜沸騰を生じさせて、結果的に、この駆動信号に一対一で対応した液体（インク）内の気泡を形成できるので有効である。この気泡の成長及び収縮により吐出用開口を介して液体（インク）を吐出させて、少なくとも一つの液滴を形成する。この駆動信号をパルス形状とすると、即時適切に気泡の成長収縮が行なわれるので、特に応答性に優れた液体（インク）の吐出が達成でき、より好ましい。
【００９０】
この際のパルス形状の駆動信号としては、米国特許第４，４６３，３５９号明細書及び同第４，３４５，２６２号明細書に記載されているようなものが適している。尚、上記熱作用面の温度上昇率についての発明に関する米国特許第４，３１３，１２４号明細書に記載されている条件を採用すると、更に、優れた記録を行なうことができる。
【００９１】
本発明で使用するインクカートリッジ、記録ユニット、インクジェット記録装置を構成する記録ヘッドの構成としては、上記に挙げた各明細書に開示されているような吐出口、液路及び電気熱変換体の組み合わせ構成（直線状液流路又は直角液流路）の他に、熱作用部が屈曲する領域に配置されている構成を開示する米国特許第４，５５８，３３３号明細書及び米国特許第４，４５９，６００号明細書を用いた構成のものを使用することも好ましい。
【００９２】
加えて、複数の電気熱変換体に対して、共通するスリットを電気熱変換体の吐出部とする構成を開示する特開昭５９−１２３６７０号公報や熱エネルギーの圧力波を吸収する開孔を吐出部に対応させる構成を開示する特開昭５９−１３８４６１号公報に基づいた構成としても有効である。
【００９３】
加えて、装置本体に装着されることで、装置本体との電気的な接続や装置本体からのインクの供給が可能になる交換自在のチップタイプの記録ヘッド、或いは記録ヘッド自体に一体的にインクタンクが設けられたカートリッジタイプの記録ヘッドを用いることもできる。
【００９４】
又、本発明を好適に適用できるインクジェット記録装置に設けられる、記録ヘッドに対しての回復手段、予備的な補助手段等を付加することは、本発明の効果を一層安定できるので好ましいものである。これらを具体的に挙げれば、記録ヘッドに対してのキャッピング手段、クリーニング手段、加圧或いは吸引手段、電気熱変換体或いはこれとは別の加熱素子、或いはこれらの組み合わせによる予備加熱手段、記録とは別の吐出を行う予備吐出モードを行うことも安定した記録を行うために有効である。
【００９５】
尚、本発明では、図１に示されるようなインクジェット記録装置、即ち、記録ヘッドの走査と被記録媒体の搬送を繰り返すことで画像形成を行っていくシリアルタイプの装置が好適に用いられるが、これに限られるものではない。例えば、被記録媒体の記録領域の全幅に亘って複数のノズルが配列されたフルライン型の記録ヘッドを用いて画像形成を行うラインタイプの装置にも適用可能である。尚、シリアルタイプの場合であっても、ラインタイプの場合であっても、反応液の吐出動作を伴う相対走査の方向が記録方向に相当する。
【実施例】
【００９６】
以下、実施例及び比較例を挙げて、本発明を更に具体的に説明する。尚、以下の記載において、「部」及び「％」とあるものは特に断わらない限り質量基準である。
【００９７】
先ず下記に述べるようにして、各色の顔料インクを得た。
（顔料インクの調製）
＜顔料分散液の作製＞
・スチレン−アクリル酸−アクリル酸エチル共重合体
（酸価２４０、重量平均分子量＝５，０００）
１．５部
・モノエタノールアミン                  １．０部
・ジエチレングリコール                  ５．０部
・イオン交換水                        ８１．５部
【００９８】
上記成分を混合し、ウォーターバスで７０℃に加温し、樹脂分を完全に溶解させた。この溶液に新たに試作されたカーボンブラック（ＭＣＦ８８、三菱化成製）１０部、イソプロピルアルコール１部を加え、３０分間プレミキシングを行った後、下記の条件で分散処理を行った。
・分散機：サンドグラインダー（五十嵐機械製）
・粉砕メディア：ジルコニウムビーズ、１ｍｍ径
・粉砕メディアの充填率：５０％（体積比）
・粉砕時間：３時間
更に、遠心分離処理（１２，０００ｒｐｍ、２０分間）を行って、粗大粒子を除去して、黒色の顔料分散液とした。
【００９９】
＜顔料インクＫ１の作製＞
上記で得た黒色の顔料分散液を使用し、下記の組成比を有する成分を混合し、黒色の顔料インクＫ１を作製した。
・上記顔料分散液                      ３０．０部
・グリセリン                          １０．０部
・エチレングリコール                    ５．０部
・Ｎ−メチルピロリドン                  ５．０部
・エチルアルコール                      ２．０部
・アセチレノールＥＨ（川研ファインケミカル製）
１．０部
・イオン交換水                        ４７．０部
【０１００】
＜顔料インクＣ１の作製＞
顔料インクＫ１の作製の際に使用したカーボンブラック（ＭＣＦ８８、三菱化成製）１０部を、ピグメントブルー１５に代えたこと以外は、顔料インクＫ１の作製の場合と同様にして、シアン色の顔料インクＣ１を作製した。
【０１０１】
＜顔料インクＭ１の作製＞
顔料インクＫ１の作製の際に使用したカーボンブラック（ＭＣＦ８８、三菱化成製）１０部を、ピグメントレッド７に代えたこと以外は、顔料インクＫ１の作製の場合と同様にして、マゼンタ色の顔料インクＭ１を作製した。
【０１０２】
＜顔料インクＹ１の作製＞
顔料インクＫ１の作製の際に使用したカーボンブラック（ＭＣＦ８８、三菱化成製）１０部を、ピグメントイエロー７４に代えたこと以外は、顔料インクＫ１の作製と同様にして、イエロー色の顔料インクＹ１を作製した。
【０１０３】
（反応液Ｓ１の調製）
次に、下記の成分を混合溶解した後、更に、ポアサイズが０．２２μｍのメンブレンフィルター（商品名：フロロポアフィルター、住友電工製）にて加圧濾過し、ｐＨが３．８に調整されている反応液Ｓ１を得た。
【０１０４】
＜反応液Ｓ１の組成＞
・ジエチレングリコール                １０．０部
・メチルアルコール                      ５．０部
・塩化カルシウム                        ７．０部
・アセチレノールＥＨ（川研ファインケミカル製）
０．１部
・イオン交換水                        ７７．９部
【０１０５】
インクジェット記録ヘッドにより、上記で得た反応液Ｓ１と、各顔料インクＫ１、Ｃ１、Ｍ１、Ｙ１とを用い、普通紙であるＰＢ用紙（キヤノン製）に、反応液Ｓ１を先に付与させた後に顔料インクＫ１、Ｃ１、Ｍ１、Ｙ１を付与させて、１ｃｍ角からなる発色性・裏抜け・定着性の評価用印字部を作成した。又、同様にして、ブリーディング評価用として背色と文字色の組み合わせによる印字部を作成し、これらを印字物Ａ１とした。背色と文字色は、顔料インクＫ１、Ｃ１、Ｍ１、Ｙ１の１次色と、これらからなる２次色により組み合わせた。評価した文字は「電驚」の明朝体で、文字の大きさは８ポイント文字の１種類とした。
【０１０６】
尚、ここで用いた顔料インクＫ１、Ｃ１、Ｍ１、Ｙ１の記録ヘッドは、１ドットあたりの吐出体積が夫々４．５ｐｌで、駆動周波数１５ｋＨｚの動作が可能な１，２００ｄｐｉの記録密度を有するものを使用した。一方、反応液Ｓ１の記録ヘッドは、１ドットあたりの吐出体積が４．５ｐｌ、２．０ｐｌ、１．０ｐｌ、０．５ｐｌの４種類を使用した。顔料インクＫ１、Ｃ１、Ｍ１、Ｙ１の記録条件は、１，２００ｄｐｉの記録密度に対して１００％の記録デュ−ティー（付与率）で記録するものとした。一方、反応液Ｓ１の記録条件は、下記表１に示すように、吐出体積Ｖｄ(ｐｌ)、記録方向（相対走査の方向）の記録解像度Ｒｘ(ｄｐｉ)、ノズル配列方向の記録解像度Ｒｙ(ｄｐｉ)、記録デュ−ティー(ｄｕｔｙ)を変えて記録した。又、印字テストの際の環境条件は、２５℃／５５％ＲＨに統一した。
【０１０７】
（評価）
そして下記の方法及び基準で評価を行い、それぞれの評価結果を表１中に示した。
１．発色性
上記のようにして得た印字物を１２時間放置した後、その印字物の反射濃度を反射濃度計マクベスＲＤ１９（マクベス社製）にて測定して、発色性を評価した。尚、評価基準は以下の通りである。
○：反射濃度が、１．２０以上。
×：反射濃度が、１．２０未満。
【０１０８】
２．裏抜け
上記のようにして得た印字物を１２時間放置した後、その印字部裏面の反射濃度を反射濃度計マクベスＲＤ１９（マクベス社製）にて測定して、裏抜けの程度を評価した。尚、評価基準は以下の通りである。
○：反射濃度が、０．１０未満。
×：反射濃度が、０．１０以上。
【０１０９】
３．定着性
印字直後から１５秒経過後に、印字していない別のＰＢ用紙Ａ０（キヤノン製）を印字部に密着させて、３５ｇ／ｃｍ2の加圧状態を維持したまま擦り合わせ、色写りがあるか否かを目視で観察して、定着性を評価した。尚、評価基準は以下の通りである。
○：ＰＢ用紙Ａ０に殆ど色写りしない（実使用で問題がないレベル）。
×：ＰＢ用紙Ａ０に色写りする（実使用で問題があるレベル）。
【０１１０】
４．ブリーディング
８ポイントからなる文字の視認性について、下記の基準で官能試験を行ってブリーディングを評価した。
○：実使用で問題がないレベル。
×：実使用で問題があるレベル。
【０１１１】
2004249725.tif 000011
【０１１２】
2004249725.tif 000012
【０１１３】
2004249725.tif 000013
【０１１４】
上記表１より、本発明の目的である発色性、裏抜け、定着性、ブリーディングの全てを満足するための最適条件は、反応液の記録条件が、
2004249725.tif 000014
を満たすことが必要であることが分かった。
【０１１５】
尚、Ｖｄ(ｐｌ）は反応液の１ドットあたりの吐出体積、Ｒｘ(ｄｐｉ）は記録方向（相対走査の方向）における記録解像度、Ｒｙ(ｄｐｉ）は記録ヘッドのノズルの配列方向における記録解像度、ｄｕｔｙ(％）は反応液の記録デュ−ティーである。さて、上記式（１）は、インクの記録デューティー（以下、インクデューティーという）が１００％のときの最適な反応液吐出条件を規定したものである。従って、インクデューティーが１００％のときには上記式（１）を満たしている必要がある。しかし、インクデューティーが１００％以外のときまで上記式（１）を満たしている必要はない。要するに、少なくともインクデューティーが１００％のときに上記式（１）を満たすような形態であれば本発明に包含される。勿論、インクデューティーに関係なく、常に上記式（１）を満たす形態であっても本発明に包含される。
【産業上の利用可能性】
【０１１６】
本発明の活用例として、定着性及び発色性に優れ、裏抜け及びブリーディングを低減した記録方法、特にインクジェット記録方法が挙げられる。
【図面の簡単な説明】
【０１１７】
【図１】インクジェットプリンタの一例を示す概略斜視図である。
【図２】インクジェットカートリッジの一例を示す概略斜視図である。
【図３】液体吐出ヘッドの一例を示す模式的概略斜視図である。
【図４】図３中のＸ−Ｘ斜視断面形状に対応し、液体吐出ヘッドの液体吐出動作を経時的に説明するための概略断面図である。
【図５】図３中のＸ−Ｘ斜視断面形状に対応し、液体吐出ヘッドの液体吐出動作を経時的に説明するための概略断面図である。
【図６】図３中のＸ−Ｘ斜視断面形状に対応し、液体吐出ヘッドの液体吐出動作を経時的に説明するための概略断面図である。
【図７】図３中のＸ−Ｘ斜視断面形状に対応し、液体吐出ヘッドの液体吐出動作を経時的に説明するための概略断面図である。
【図８】図３中のＸ−Ｘ斜視断面形状に対応し、液体吐出ヘッドの液体吐出動作を経時的に説明するための概略断面図である。
【図９】図３中のＸ−Ｘ斜視断面形状に対応し、液体吐出ヘッドの液体吐出動作を経時的に説明するための概略断面図である。
【図１０】図３中のＸ−Ｘ斜視断面形状に対応し、液体吐出ヘッドの液体吐出動作を経時的に説明するための概略断面図である。
【図１１】図３中のＸ−Ｘ斜視断面形状に対応し、液体吐出ヘッドの液体吐出動作を経時的に説明するための概略断面図である。
【図１２】本発明の前提となるインクジェット記録方法を模式的に説明する図である。
【図１３】凝集物３１ｂが集合して膜状の凝集体３１ｃが形成される様子を示した図である。
【図１４】膜状の凝集体３１ｃが被記録媒体の表面に定着して凝集膜３１ｄが形成される様子を示した図である。
【図１５】凝集膜３１ｄが形成されない場合の被記録媒体表面の様子を示した図である。
【図１６】記録解像度（Ｒｘ、Ｒｙ）がＲｘ＝１，２００、Ｒｙ＝１，２００であるときの反応液の吐出体積Ｖｄ(ｐｌ）と印字ｄｕｔｙの関係を表した図である。
【図１７】記録解像度（Ｒｘ、Ｒｙ）がＲｘ＝６００、Ｒｙ＝１，２００であるときの反応液の吐出体積Ｖｄ(ｐｌ）と印字ｄｕｔｙの関係を表した図である。
【図１８】記録解像度（Ｒｘ、Ｒｙ）がＲｘ＝６００、Ｒｙ＝６００であるときの反応液の吐出体積Ｖｄ(ｐｌ）と印字ｄｕｔｙの関係を表した図である。
【符号の説明】
【０１１８】
１０：被記録媒体
１０ａ：被記録媒体の印字表面
２０：反応液
２１：多価金属イオン
３０：顔料インク
３１：分散状態にある顔料粒子
３１ａ：電気的斥力を消失した顔料粒子
３１ｂ：凝集物
３１ｃ：膜状の凝集体
３１ｄ：凝集膜
３２：浸透促進剤（例えば、界面活性剤）
ＦM：メニスカス後退方向
ＦC：メニスカス後退方向と反対方向
Ｉ：インク
Ｉa：主液滴（液体、インク）
Ｉb、Ｉc：液体（インク）
Ｉd：溝部に付着したインク（溝内のインク）
Ｉe：液流路内に残存しているインク
Ｐ：用紙の搬送方向
Ｒ：ベルトの回転方向
Ｓ：用紙の搬送方向と略直交する方向
【図１】
2004249725.tif 000024
【図２】
2004249725.tif 000025
【図３】
2004249725.tif 000026
【図４】
2004249725.tif 000027
【図５】
2004249725.tif 000028
【図６】
2004249725.tif 000029
【図７】
2004249725.tif 000030
【図８】
2004249725.tif 000031
【図９】
2004249725.tif 000032
【図１０】
2004249725.tif 000033
【図１１】
2004249725.tif 000034
【図１２】
2004249725.tif 000035
【図１３】
2004249725.tif 000036
【図１４】
2004249725.tif 000037
【図１５】
2004249725.tif 000038
【図１６】
2004249725.tif 000039
【図１７】
2004249725.tif 000040
【図１８】
2004249725.tif 000041